(57)【要約】      （修正有）【課題】データの解析を行い転送のタイミングをずらすことにより、画像に応じてノイズを低減する表示装置の駆動回路を提供する。【解決手段】複数の色表示手段の色毎の画像データ及び制御信号を出力し、液晶パネルを駆動する駆動手段と、駆動手段から出力される画像データ及び制御信号を受けて表示を行う複数の表示手段で構成される表示装置に於いて、駆動手段は、それぞれのデータに対して画像データの転送クロックに同期して制御信号もしくは画像データの出力タイミングをずらすタイミング変更手段を有し、タイミング変更手段は、画像データの立上り・立下りを検出する検出手段と、検出手段の検出結果から、それぞれの画像データを所定のタイミング内でずらした際に画像データの同時立上り・立下りする回数が少なくなるようなタイミングを算出するタイミング算出手段を持ち、タイミング変更手段はタイミング算出手段の結果をもとにタイミングをずらす。【選択図】図１
2017161669.tif 000002
【特許請求の範囲】
【請求項１】
複数の色の表示手段の色毎の画像データ及び制御信号出力を行い表示手段を駆動する駆動手段と、 
前記駆動手段から出力される画像データ及び制御信号を受けて表示を行う複数の表示手段で構成される表示装置に於いて、 
前記駆動手段は、前記表示手段それぞれのデータに対して前記画像データの転送クロックに同期して制御信号もしくは画像データの出力タイミングを ずらすタイミング変更手段を有し 
前記出力タイミングをずらすタイミング変更手段は、前記画像データの表示手段それぞれの画像データの立上り・立下りを検出する検出手段と、 
前記検出手段の検出結果から表示手段それぞれの画像データを所定のタイミング内でずらした際に 表示手段の画像データの同時立上り・立下りする回数が少なくなるようなタイミングを算出するタイミング算出手段を持ち、 
前記タイミング変更手段はタイミング算出手段の結果をもとにタイミングをずらすことを特徴とする表示装置。
【請求項２】
出力タイミングのずらし値を設定するタイミング設定手段を持ち、前記タイミング変更手段は、レジ調整によるタイミングの変化に対して前記設定された出力タイミングのずらし値に合うようタイミングを変更することを特徴とする請求項１に記載の表示装置。
【請求項３】
前記表示手段へのクロックのラッチ方法を伝送する伝送手段を持ち、 
前記タイミング変更手段がタイミングを半クロック分ずらすとともにクロックのラッチ方法の変更を伝送することを特徴とする請求項１に記載の表示装置。
【請求項４】
前記表示手段は、液晶パネル或いはDLPで有る事を特徴とする請求項１に記載の表示装置。
【発明の詳細な説明】
【技術分野】
【０００１】
本発明は、表示装置に関し、特に液晶表示装置の駆動回路に関する。
【背景技術】
【０００２】
従来から、液晶表示装置を動作させる際にはノイズの放射の問題があることがよく知られており、近年の表示装置の高解像度化やフレームレートの上昇に伴うデータ転送速度の高速化により、ますますノイズ低減化することの重要性が大きくなっている。
【０００３】
ノイズの原因として、駆動の際に電流が流れることによる磁界起因のノイズがあげられる。電流が集中することによって、瞬間的に大電流が流れることが大きなノイズの発生につながっているため、電流が一度に流れる量を分散させることによりノイズを低減させる方法がある。
【０００４】
特許文献１には、TFT液晶パネルを駆動するための駆動回路で、R,G,Bデータを転送する際に任意の複数ビット単位で構成されるまとまりごとに少しずつタイミングをずらして転送する技術が開示されている。また、特許文献２には、液晶パネル駆動ドライバにおいて、ソース線側を駆動させるタイミングを分散させるようなタイミング制御を行う技術が開示されている。
【先行技術文献】
【特許文献】
【０００５】
【特許文献１】特開平１１−２５９０５０号公報
【特許文献２】特開２００３−２３３３５８号公報
【発明の概要】
【発明が解決しようとする課題】
【０００６】
しかしながら、特許文献１に開示された従来技術では、転送のタイミングをずらす際に同一クロック内でずらす方式であるため、ｓｅｔｕｐ・ｈｏｌｄマージンが減少してしまう。データ転送速度の高速化によりタイミングマージンの確保が難しくなっているため、マージンの減少は好ましくない。また、タイミングを微妙にずらすためにはＰＬＬが必要となってしまい、回路構成が複雑化してしまう。
【０００７】
また、特許文献２に開示された従来技術では、液晶ドライバが液晶パネルを駆動する部分についてのタイミング分散であり、距離が長くなることでノイズが出やすくなる駆動装置と液晶ドライバ間の転送ノイズを防ぐことが出来ない。
【０００８】
そこで、本発明の目的は、簡易な構造によって転送のタイミングをずらすことにより、タイミングマージンの減少無しにノイズを低減することを可能とした表示装置の駆動回路を提供することにある。
【課題を解決するための手段】
【０００９】
上記の目的を達成するために、本発明に係る表示装置は、
複数の色の表示手段の色毎の画像データ及び制御信号出力を行い表示手段を駆動する駆動手段と、前記駆動手段から出力される画像データ及び制御信号を受けて表示を行う複数の表示手段で構成される表示装置に於いて、前記駆動手段は、前記表示手段それぞれのデータに対して前記画像データの転送クロックに同期して制御信号もしくは画像データの出力タイミングを ずらすタイミング変更手段を有し 前記出力タイミングをずらすタイミング変更手段は、前記画像データの表示手段それぞれの画像データの立上り・立下りを検出する検出手段と、前記検出手段の検出結果から表示手段それぞれの画像データを所定のタイミング内でずらした際に 表示手段の画像データの同時立上り・立下りする回数が少なくなるようなタイミングを算出するタイミング算出手段を持ち、前記タイミング変更手段はタイミング算出手段の結果をもとにタイミングをずらすことを特徴とする。
【発明の効果】
【００１０】
本発明に係る表示装置によれば、データの解析を行いその解析結果に応じて転送のタイミングをずらす。このように行う事により、画像に応じてノイズ低減に最適な駆動タイミングで駆動することを可能となる。
【図面の簡単な説明】
【００１１】
【図１】本発明の実施形態に係る表示装置駆動回路のブロック図
【図２】同表示装置駆動回路における画素の構成を示す図
【図３】レジ調整を必要とする場合のイメージ図
【図４】レジ調整時のタイミングを示すタイミングチャート
【図５】データずらし時のタイミングを示すタイミングチャート
【図６】画像に対してのデータを示すタイミングチャート
【図７】データ解析回路の詳細図
【図８】本発明のフローチャート
【図９】本実施例の画像例
【発明を実施するための形態】
【００１２】
以下に、本発明の好ましい実施の形態を、添付の図面に基づいて詳細に説明する。
【００１３】
図１は本発明の実施形態にかかわる表示装置のブロック図である。
【００１４】
図１のパネル駆動回路４００及びランプ電圧生成回路５０１の出力によりR用液晶パネル１００、G用液晶パネル２００、B用液晶パネル３００の駆動を行う構成である。
【００１５】
［実施例１］
以下、図１〜図４を参照して、本発明の第１の実施例による、レジストレーション（以下レジと呼称する）調整について説明する。まず図１乃至図４を使ってパネル駆動動作の概要を説明する。
【００１６】
図１において、基板500上を伝送されてきた、不図示画像処理回路により画像処理等を行われた画像データと制御信号の出力信号がパネル駆動回路400に入力される。画像データと制御信号は内部のRGBデータパネル補正回路410に入力され、RGBデータパネル補正回路410内画像処理回路411にてガンマ処理、色むら処理、その他パネル用の補正を行った後、RGBにそれぞれ分離してR/G/Bパネル用タイミングジェネレータ420、430、440に入力される。また、RGBデータパネル補正回路410はデータ解析回路412を有し、入力され画像処理回路により補正をされパネルに入力されるR/G/Bのデータの立上がり/立下りのデータの解析を行う。
【００１７】
R/G/Bパネル用タイミングジェネレータ420、430、440に入力された画像データと制御信号は、レジ調整回路421、431、441でレジ調整を行う。その後、タイミング調整回路422、432、442でタイミング調整を行った後、パネル駆動用の画像データと同期信号を生成する。生成された画像データと同期信号はパネル駆動回路400から出力され、基板500とR/G/Bパネルフレキ101、201、301を通ってR/G/Bパネル100、200、300に入力される。
【００１８】
RGBデータパネル補正回路410は上記とは別に、サンプリング制御回路450へと同期信号を受け渡す。サンプリング制御回路450は受け取った同期信号をもとに各パネルへのサンプリング用信号の出力とランプ電圧生成回路501の制御を行う。ランプ電圧生成回路501はサンプリング制御回路450からの制御でD/A変換を行うことでランプ電圧を生成し、各パネルへと出力する。ランプ電圧は後述のカウンタークロックに同期して上昇或いは下降する。
【００１９】
また、図１における液晶パネルであるＲパネル100、Ｇパネル200、Ｂパネル300は全て同様の構造であり、その内部の構造を図２に示す。
【００２０】
H駆動回路１１０は、R/G/Bパネル用タイミングジェネレータ420〜440からの同期信号及び画像データと、サンプリング制御回路450からのサンプリング信号を受けて水平方向の駆動を行う。H駆動回路110内のインプットデータレジスタ111は、入力された画像データと同期信号を順次受けとって、水平方向に対してのN+１ライン目の１Hライン分の映像データを記憶する。データメモリ１１２は、インプットデータレジスタ111にて記憶した１Hライン分のNライン目の映像データを記憶する。
【００２１】
インプットデータレジスタ111からデータメモリ112のデータの移行は、インプットデータレジスタが入力される１Hライン分のデータのブランキング期間中に行われる。データコンパレータ113はデータメモリ112に記憶しているNライン目の映像データと、データコンパレータ113に入力されるカウンタークロックであるCCLKのカウント値を比較する。データコンパレータ113のデータが例えば、1024階調（10bit）の5のデータ（階調）で有った場合、カウンタークロックCCLKのクロック数が5クロックカウントした事によりコンパレータの合致結果を出力する。
【００２２】
SWコントローラ114は、データコンパレータ113からの出力をもとにアナログSW133のスイッチングを行う。SW信号線132はアナログSW133をON/OFF可能な電圧に変換して出力する。そしてアナログSW133は、ランプ電圧生成回路501で生成されたランプ電圧であるRV131を表示領域130に垂直に配線されたビデオ線134に接続制御する。この接続制御により、映像データに応じたランプ電圧をビデオ線に印加する。Vシフトレジスタ120はパネル駆動回路400からの駆動信号であるVS信号とVCLK信号でV操作信号135を制御する。アナログSW133を介してビデオ線134に供給されるランプ電圧であるRV131は、画素トランジスタ136のドレインに接続される。
【００２３】
画素トランジスタ136のゲートにはV操作信号135に接続され、画素トランジスタ136のオン/オフ制御を行う。画素コンデンサ137は画素トランジスタ136のソースに接続されビデオ線134に印加されたランプ電圧を受けて、その電圧を液晶駆動電圧として充電する。また、画素トランジスタ136は不図示画素電極に接続されている。ビデオ線134は、画素トランジスタ136のソースに接続されるとともに、配線がコンデンサ容量として機能し、画素コンデンサ136の容量より大きい容量（数百倍から数万倍）で構成されている。
【００２４】
また画素コンデンサ136の他端は所定電圧である所のVcomCに接続されている。液晶であるLC138は画素コンデンサ１３７に充電された電圧と不図示透明電極に印加される所定電圧であるVcomLの電位差を受けて液晶駆動される。液晶であるLC138は画素電極と電位差(実効値)に応じて変化する構成となっている。
【００２５】
RGBの3枚の液晶パネルにて構成される液晶プロジェクタに於いては、RGBのそれぞれの液晶パネルが、投影上で位置が合致している状態で投影される。しかしながらパネルの取り付け位置が何らかの要因でずれた状態。所謂、レジストレーションのずれが生じた状態が発生する事がある。このレジストレーションのずれ（後述はレジずれと言う）に対して電気的に位置をずらして書き込む方法が知られている。（本件では、レジ調整と後述する。）以下レジ調整について説明する。
【００２６】
図３はRパネル/Gパネル/Bパネルによる表示のレジストレーションずれイメージ図である。
【００２７】
このイメージ図ではRパネルによる表示を基準とすると、Gパネルによる表示が右に１画素、上に１画素ずれており、Bパネルによる表示が右に１画素ずれている。レジずれには本来の表示画素数より上下左右に余分な画素をレジ領域として用意しておくことで対応できる。図3のBパネルのように水平にレジずれした場合に対するレジ調整のタイミングチャートを図4示す。図４は右に１画素ずらしている例で、上からHCLK、HSYNC、でありHSYNCを基準としての標準状態のG/BDATA、に対してRDATAは右に１画素レジ調整しているタイミングである。
【００２８】
ここでは、水平1024画素分の表示に対して、+6画素分余分に画素を持っておき、標準状態のDATAでは左右に各3画素分のレジ領域（常に黒表示）を持っている。右へ１画素分のレジ調整が必要になった場合には、左のレジ領域を4画素分、右のレジ領域2画素分となるようDATAを移動することにより表示領域をずらすことができる。
【００２９】
以下、図８のフローチャートをもとに本実施例の動作を説明する。
【００３０】
STEP101にてエッジカウントを行う。エッジカウントは、画像処理回路411から出力されたパネルへ出力するデータを受けて、データ解析回路412内のエッジカウンター413にて行う。データ解析回路412は、パネルへのデータ入力、1水平走査期間中の立上り／立下りを1水平期間のデータのエッジをエッジカウンター413にてカウントする。本実施例では1024個のデータ毎のR/G/B各10ビットのデータをカウントするとともに1024個のデータ毎のカウント値を記憶する。
【００３１】
例えば画像によってのカウント値の例を挙げると、図９に示す(a)のグラデーション画像では、水平1画素目をデータ：0として、水平2画素目をデータ：1と画素毎にデータがインクリメントするランプ画像の場合、データは、図６（a）に示すようなデータになる。図６（a）に示すデータはR/G/Bの内の一色のデータを表している。レジ調整領域の黒表示DATA:0から、水平1画素目のD1DATA：0、水平2画素目のD2DATA：1となっている。このデータの変異に対して、エッジカウンター413は10ビットデータのDATA0〜DATA9のデータの立上り/立下りのエッジ数をカウントしている。カウントの結果は10画素迄で立上りカウントでは最大が1、立下りカウントでは最大が3と変異が小さい事がわかる。
【００３２】
また、図９に示す(b)のドット毎のチェッカー画像（図では一部拡大）では、水平1画素目をデータ：0として、水平2画素目をデータ：10と画素毎にデータが繰り返す市松画像の場合、データは、図６（b）に示すようなデータになる。図６（b）に示すデータは（a）と同様にR/G/Bの内の一色のデータを表している。レジ調整領域の黒表示DATA:0から、水平1画素目のD1DATA：0、水平2画素目のD2DATA：10となっている。このデータの変異に対して、エッジカウンター413は10ビットデータのDATA0〜DATA9のデータの立上り/立下りのエッジ数をカウントしている。
【００３３】
カウントの結果は10画素迄で立上りカウントでは最大が10、立下りカウントでは最大が10と変異が大きい事がわかる。また市松画像のようにR/G/Bが同一のデータの画像で有ったとするとエッジのカウントは更に最大数はR/G/Bのデータを合わせると30となる。
【００３４】
前述した通りエッジカウンター413により記憶しているエッジのカウント値をもとにSTEP102にてデータずらし解析回路414によりデータ解析を行う。データずらし解析回路414は、エッジカウンター412に記憶された1024個のデータ毎のカウント値をデータずらす事により、変化するエッジ数を低減できるデータのずらし数の解析を行う。
【００３５】
前述した、図９(a)のようなランプ画像では、データの急激な変動は少ないためエッジカウンター413の値は小さくノイズの発生は少なく問題は無い。しかしながら、図１４(b)のような市松画像では、前述の通りエッジの変化数が立上りのエッジがD2、D4、D6・・、立上りのエッジがD3、D5、D7・・・と30エッジずつ交互に発生する。そのため、エッジ数の多いタイミングでノイズを発生させる事になる。それに対して、各色毎のパネルへのデータの出力タイミングをずらした場合でのエッジ数の変化の解析を行う。
【００３６】
ここで、一色のデータ（ここではRとして）の出力タイミングを1HCLK分ずらして場合を示すとck5時で発生する、立上りエッジは30⇒20、立下り0⇒0となる。ck6時では、立上り0⇒10/立下り30⇒20にck7では、立上り30⇒20/立下り0⇒10に変化し、同時に変化する立上り及び立下りのエッジを分散する事が出来る。また更に、一色のデータの出力タイミングを2HCLK分ずらして場合を示すとck5時で発生する、立上りエッジは30⇒20、立下り0⇒0となる。ck6時では、立上り0⇒0/立下り30⇒20にck7では、立上り30⇒30/立下り0⇒0となりck8時では、立上り0⇒0/立下り30⇒30となりck7以降はデータの出力をずらしていない状態と同じとなり、ノイズを発生させやすい条件となる。
【００３７】
このように、水平画素1〜1024画素に対して立上り及び立下りのエッジ数が少なくなるようにR/G/Bの3色の内1色或いは2色のデータの出力タイミングをずらし、立上りエッジ数及び立下りエッジ数を比較して、データずらし量の解析、算出を行う。
【００３８】
上記データずらし量の解析は１H期間中にデータの位置をずらす事が可能な範囲に於いて、エッジ数の最大値の低減量が最大となるずらし量を求める。
【００３９】
STEP103では、レジ調整量の確認を行う。前述の通りレジ調整はR/G/Bのパネルのいずれかが投射光学系の位置ずれ補正を行う。レジ調整量は、予め設定されている不図示記憶手段に有していて、その記憶されているレジ調整量を呼び出す。
【００４０】
SETP104では、タイミングずらし量とレジ調整量からタイミング調整量の決定を行う。
タイミングずらし量とレジ調整量からタイミング調整量は、STEP102のデータ解析にて算出したデータのずらし量と、STEP103でのレジ調整量の確認で行ったレジ調整量から、タイミング調整量を決定する。
【００４１】
表示画像、市松に於けるずらし量は、前述の通り1HLKをずらす事により立上り及び立下りのエッジを分散する事が出来る。よってRのデータを他のG/Bのデータに対してずらす事を前提とする。ここで、レジ調整量がR/G/Bともに0で有った場合、データの出力開始位置のタイミングは同じ位置で有る。よって、レジ調整の値により、データの出力タイミングは変動しないので、Rのデータのみを１HCLK分ずらすレジ・タイミング値をデータずらし量出力回路415からRパネル用タイミングジェネレータ420に出力する。また、データずらし量出力回路415G/Bのパネル用タイミングジェネレータ430、440に対してはずらし量0として出力する。
【００４２】
また、表示画像市松に於いて、レジ調整量が前述の図４の説明の通り、Rパネルに対してレジ調整量が+1であった場合、市松に於いてはデータの出力タイミングを１HCLKずらす事でノイズの低減を行う。即ちレジ調整量にて1HCLK分ずれているので、データの出力タイムタイミングはずらす必要が無くなる。よって
タイミング調整量＝タイミングずらし量-レジ調整量
となる。
【００４３】
STEP105では、STEP104にて行ったタイミングずらし量の算出結果が0で有るか否かを判断する。ここで0で有ればタイミングずらし量をRタイミング調整回路422、Gタイミング調整回路423、Bタイミング調整回路424、対してタイミングずらし量をデータ解析回路412から送らずSTEP107に進む。ここで前述した例のようにRをタイミング調整量が0以外で有った場合には、STEP106にてデータ解析回路412からのタイミング調整量を受けて、Rタイミング調整回路412にてデータの出力タイミングをずらす。ずらし方は、図５に示すようにパネルに対してのデータ出力タイミングの基準となるHSYNC（R）をずらす事によりタイミングをずらす。
【００４４】
次にSTEP108で予め設定されている不図示記憶手段に有している、レジ調整量をデータ解析回路412から送り、レジ調整回路421は前述の図４の説明のようにHSYNCからのRDATAのデータ出力開始位置D1の位置をずらす。
【００４５】
以上、本発明の好ましい実施形態について説明したが、本発明はこれらの実施形態に限定されない。本実施例では、ランプ電圧をサンプリングする構成のパネルに関して記述したが、デジタルデータを入力する形式のパネルであれば対応可能である。また、例えば前述の液晶パネルの解像度、透過型・反射型等の液晶パネル方式、及び水平走査線等の本数等、映像信号の入力形式（パラレル/シリアル/データ相数等）は限定されるものでは無い。
【００４６】
また、本実施例に於いては、表示手段を液晶パネルにて説明したが、表示手段は液晶パネルに限定される物ではなく、例えばDLPによる3枚構成のプロジェクタで有っても良い事は言う迄も無い。
【００４７】
また、本実施例に於いては、データのずらす最少幅を1クロックで説明したが、1クロックの位相が反転したエッジ（立上りに対して立下り）でデータを取り込むようにして半クロックずらすようにしても良い。その要旨の範囲内で種々の変形及び変更が可能である。
【符号の説明】
【００４８】
１００  Rパネル、１０１  Rパネル用フレキ、２００  Gパネル、
２０１  Gパネル用フレキ、３００  Bパネル、３０１  Bパネル用フレキ、
４００  パネル駆動回路、４１０  RGBデータパネル補正回路、
４１２  データ解析回路、４２０  Rパネル用タイミングジェネレータ、
４２１  Rパネル用レジ調整回路、４２２  Rパネル用タイミング変更回路、
４３０  Gパネル用タイミングジェネレータ、４３１  Gパネル用レジ調整回路、
４３２  Gパネル用タイミング変更回路、４４０  Bパネル用タイミングジェネレータ、
４４１  Bパネル用レジ調整回路、４４２  Bパネル用タイミング変更回路、
４５０  サンプリング制御回路、５００  基板、５０１  ランプ電圧生成回路
【図１】
2017161669.tif 000003
【図２】
2017161669.tif 000004
【図３】
2017161669.tif 000005
【図４】
2017161669.tif 000006
【図５】
2017161669.tif 000007
【図６】
2017161669.tif 000008
【図７】
2017161669.tif 000009
【図８】
2017161669.tif 000010
【図９】
2017161669.tif 000011